(57)【要約】【課題】  ユニット装置のモジュール動作用電源部について、オン状態とオフ状態を遠隔操作によって切換制御する手段を低価格で提供する。【解決手段】  ユニット装置に設けられ、１つ以上の他モジュールに電力供給する、ユニット装置の電源システムにおいて、外部から電源供給を受ける制御用電源と、制御用電源から電源供給を受けてユニット内の各モジュールに電源供給を行うモジュール動作用電源と、制御用電源から電源供給を受けてモジュール動作用電源の供給入／断を切換えるオン／オフ切換部と、制御用電源から電源供給を受けてオン／オフ切換部に対して遠隔操作による切換命令を入力する切換命令入力部とを備えた。【選択図】                    図１
2005250520.tif 000002
【特許請求の範囲】
【請求項１】
ユニット装置に設けられ、１つ以上の他モジュールに電力供給する、ユニット装置の電源モジュールにおいて、
外部電源から第一の電源供給を受ける制御用電源と、
前記制御用電源から第二の電源供給を受けて前記他モジュールに第三の電源供給をするモジュール動作用電源と、
前記第二の電源供給のオン状態とオフ状態とを切換えるオン／オフ切換部と、
前記オン／オフ切換部に対する切換命令を入力する切換命令入力部と、
を設けたことを特徴とするユニット装置の電源モジュール。
【請求項２】
前記切換命令は、
有線インタフェースまたは無線インタフェースを介した遠隔操作によって、前記切換命令入力部に入力することを特徴とする、請求項１に記載のユニット装置の電源モジュール。
【請求項３】
ユニット装置に設けられ、１つ以上の他モジュールに電力供給する、ユニット装置の電源モジュールにおいて、
外部電源から第一の電源供給を受ける制御用電源と、
前記制御用電源から第二の電源供給を受けて前記他モジュールに第三の電源供給を行うモジュール動作用電源と、
前記第三の電源供給のオン状態とオフ状態とを切換えるオン／オフ切換部と、
前記オン／オフ切換部に対する切換命令を入力する切換命令入力部と、
を設けたことを特徴とするユニット装置の電源モジュール。
【請求項４】
前記切換命令は、
有線インタフェースまたは無線インタフェースを介した遠隔操作によって、前記切換命令入力部に入力することを特徴とする、請求項３に記載のユニット装置の電源モジュール。
【請求項５】
前記切換命令入力部は、
前記有線インタフェースまたは無線インタフェースを備えた、前記他モジュールの何れかに設けたことを特徴とする、請求項３と４に記載のユニット装置の電源モジュール。
【請求項６】
前記有線インタフェースまたは無線インタフェースは、
管理用ネットワークへ接続することを特徴とする、請求項３から請求項５までに記載のユニット装置の電源モジュール。
【請求項７】
前記ユニット装置は、プログラマブルコントローラユニット装置であることを特徴とする、請求項１から６までに記載のユニット装置の電源モジュール。
【発明の詳細な説明】
【技術分野】
【０００１】
本発明は、各種センサに接続する計測用モジュールや制御機器等に接続する入出力モジュール及び制御モジュール等の複数モジュールを組み合わせて構成されたユニット装置、例えば工業プラント内で用いられるプログラマブルコントローラ（ＰＬＣ）ユニット等の電源モジュールに関する。
【背景技術】
【０００２】
複数モジュールを組み合わせて構成されたユニット装置の電源モジュールに係わる先行技術としては、例えば次のような公開文献がある。
【０００３】
【特許文献１】特開平４−２７０４０６号公報
【特許文献２】特開平５−３１６１２６号公報
【０００４】
特許文献１は、情報処理装置内の各モジュールの動作を監視する動作監視手段により、個別モジュール毎に所定時間内で稼動の有無を監視する手段と、給電が不要なモジュールを検知すると当該モジュールについて電源供給の一時的遮断と供給再開を実行する手段とを夫々備えた情報処理装置の電源制御システムについて開示する。
【０００５】
特許文献２は、ローカル・エリア・ネットワークに接続される端末装置の電源投入に際し、当該端末装置が備えているＬＡＮインタフェースモジュールを介して電源投入信号を受信する遠隔電源制御方法を開示する。第一の電源部（遠隔電源制御用電源部）と第二の電源部（端末装置の電源部）間で電源供給の授受は無く、電源制御用信号を授受する。
【０００６】
特許文献１に記載の先行技術では、予め設定した時刻に自律的な電源のオン／オフ制御を行う。また、特許文献２に記載の先行技術は、電源オフ時に限り内蔵されているインタフェースモジュールを遠隔による電源オン操作に転用するものである。
【０００７】
本発明では、複数モジュールを組み合わせて構成されたユニット装置として、プログラマブルコントローラ（ＰＬＣ）ユニットを例に採って以下に説明する。従来例として図４にその典型的な電源モジュールの実施形態を示す。
【０００８】
図４に例示のＰＬＣユニットでは、電源モジュール１に加えて他モジュール４として，制御用のＣＰＵモジュール、入出力モジュール、各種センサモジュール群などで構成されている。他モジュール４の内訳である、個別モジュールの種別までも判別する様な図示はしていない。他モジュール４の該当範囲内では、原則としてモジュール配列順序に制限が無く、装置の電源系統から観れば何れも同格である為である。一方、電源モジュール１は電源コード５を介し外部電源であるコンセント６によるＡＣ電源と接続している。
【０００９】
電源モジュール１は、ＰＬＣユニットを構成する電源モジュール１以外の他モジュール４、具体的にはＣＰＵモジュール、入出力モジュール、各種センサモジュールのそれぞれに電力を供給している。
【００１０】
ここで、図４に示す従来例における電源モジュール１の運用形態を説明する。ユニット内の他モジュール４の電源をオン／オフするためには、電源モジュール１につながる電源コード５をコンセント６から抜き差しする。
【００１１】
これにより、ユニット装置を構成する電源モジュール１も含めた全モジュールについて、電源投入と電源切断が一括して実行される。すなわち電源モジュール１が供給する、単一系統の電源システムにより電源モジュール１を含めた全モジュールが稼動する。
【００１２】
一般にＰＬＣユニットは生産設備の一環を成して、該生産設備の稼動時間中は常時運転状態にある。また生産効率を追及する必要から、一旦稼動を開始すれば生産ラインの稼動時間に合わせ、メンテナンス時や緊急時など特別な場合を除き原則として停止状態を避けて運用される。さらに、電源モジュール１単体やユニット装置全体のコスト低減の観点からも、単一系統による電源供給は多く採用されている。
【００１３】
すなわち、ＰＬＣユニットは生産設備の稼動時間に合わせ、常時通電させて運転状態下にあることを前提とした産業用機器である。したがって朝の始業と夕の終業時などに行う、ライン全体の基幹系統のメーンスイッチ開操作と閉操作に伴い、自ずと電源モジュール１を介してＰＬＣユニットの電源制御が行われていた。  
【発明の開示】
【発明が解決しようとする課題】
【００１４】
ところが、設備の稼動時間内であっても特定ＰＬＣユニットのみを何らかの理由により電源オフの要求が発生する場合がある。たとえば、該ＰＬＣユニットに緊急事態が発生し、急遽電源をオフとしなければならない場合、稼動が無い閑散時間帯に無駄な電源消費を排除する場合等がある。この様な課題に対し図４に示した従来例では、作業者が該ＰＬＣユニットまでわざわざ足を運び、電源モジュール１につながる電源コード２を電源コンセントから引抜く必要があった。
【００１５】
このため、上述した従来例には以下の様な問題点があった。
第一の問題点は、作業者が目的のＰＬＣユニットまで構内を移動しなければならない為、該ＰＬＣユニットの電源オフを緊急に実施したい場合は、迅速な処置ができない問題があった。
【００１６】
第二の問題点は、現場作業者の不注意や指示ミスなどにより所望のＰＬＣユニットの電源コードと、継続運転が必要な他の機器の電源コードとを取り違える虞がある。すなわち所望のＰＬＣユニットのみを確実に電源オフとするには、目的の電源ケーブルが確実に特定される必要があるが、作業者による人的要因が介在する為、現場で混乱すれば不用意な電源断などの事態を招く危険が常にあった。
【００１７】
第三の問題点は、目的のＰＬＣユニットに赴く作業員の安全確保に留意するため、作業員のアプローチ経路確保と、電源コード引き抜き作業スペースを考慮した設置環境が必要である。これはＰＬＣユニット装置を含めた構内配置や配電系統、構内レイアウトなどの制約事項となっていた。
【００１８】
第四の問題点は、前述した様に設備の稼動時であっても特定ラインで閑散期となる時間帯が時に生じることがあり、これらに属するＰＬＣユニットは、必要状況に応じてこまめに電源オフとオンを行うことが省エネルギーと地球環境保全の観点からすれば望ましい。しかるに操作の煩雑さと手配する作業員の工数を考慮すれば、割に合わない場合が多く、止むを得ず電源オンで待機電力を消費させたまま放置する場合が多かった。
すなわち稼動時間帯であっても、任意のＰＬＣユニットのみを対象とした不定時の電源オフ／オン操作を手軽に実施することで、省エネルギーに貢献できる効果的な手段が存在しなかった。
【００１９】
本発明は上述した従来技術の問題を解決するためになされ、その目的はＰＬＣユニットに代表される、モジュール構成を採るユニット装置の電源構成について、モジュール動作用電源部と制御用電源部の２系統を用意し、遠隔操作によってモジュール動作用電源部についてオン状態とオフ状態とを切換制御する手段を低コストで提供することにある。
【課題を解決するための手段】
【００２０】
このような目的を達成するために、本発明のうち請求項１記載の発明は、
ユニット装置に設けられ、１つ以上の他モジュールに電力供給する、ユニット装置の電源モジュールにおいて、
外部電源から第一の電源供給を受ける制御用電源と、
前記制御用電源から第二の電源供給を受けて前記他モジュールに第三の電源供給をするモジュール動作用電源と、
前記第二の電源供給のオン状態とオフ状態とを切換えるオン／オフ切換部と、
前記オン／オフ切換部に対する切換命令を入力する切換命令入力部と、
を設けたことを特徴とするユニット装置の電源モジュールである。
【００２１】
請求項２記載の発明は、
前記切換命令が、
有線インタフェースまたは無線インタフェースを介した遠隔操作によって、前記切換命令入力部に入力することを特徴とする、請求項１に記載のユニット装置の電源モジュールである。
【００２２】
請求項３記載の発明は、
ユニット装置に設けられ、１つ以上の他モジュールに電力供給する、ユニット装置の電源モジュールにおいて、
外部電源から第一の電源供給を受ける制御用電源と、
前記制御用電源から第二の電源供給を受けて前記他モジュールに第三の電源供給を行うモジュール動作用電源と、
前記第三の電源供給のオン状態とオフ状態とを切換えるオン／オフ切換部と、
前記オン／オフ切換部に対する切換命令を入力する切換命令入力部と、
を設けたことを特徴とするユニット装置の電源モジュールである。
【００２３】
請求項４記載の発明は、
前記切換命令が、
有線インタフェースまたは無線インタフェースを介した遠隔操作によって、前記切換命令入力部に入力することを特徴とする、請求項３に記載のユニット装置の電源モジュールである。
【００２４】
請求項５記載の発明は、
前記切換命令入力部が、
前記有線インタフェースまたは無線インタフェースを備えた、前記他モジュールの何れかに設けたことを特徴とする、請求項３と４に記載のユニット装置の電源モジュールである。
【００２５】
請求項６記載の発明は、
前記有線インタフェースまたは無線インタフェースが、
管理用ネットワークへ接続することを特徴とする、請求項３から請求項５までに記載のユニット装置の電源モジュールである。
【００２６】
請求項７記載の発明は、
前記ユニット装置が、プログラマブルコントローラユニット装置であることを特徴とする、請求項１から６までに記載のユニット装置の電源モジュールである。
【発明の効果】
【００２７】
以上に挙げた、請求項１及び２に記載の発明を実施したユニット装置の電源システムは、制御用電源とモジュール動作用電源との２系統から成り、モジュール動作用電源が供給する電力のオン状態とオフ状態とを切換えるオン／オフ切換部と、オン／オフ切換部への切換命令を遠隔操作によっても入力ができる切換命令入力部とを備えている。
このような電源システムによれば以下の効果を得る。
【００２８】
請求項１と請求項２の発明によれば、ユニット装置内の各モジュール動作用に供給している供給電力のオンとオフが、切換命令入力部への遠隔入力によって実行ができるため、ユニット装置内の他モジュール群について緊急に電源オフを実施したい場合等に、任意の有線インタフェースまたは無線インタフェースを介した遠隔操作による迅速な対応が可能となる。
【００２９】
また、電源コードまで作業員がわざわざ足を運ぶ必要がなく、電源断と再投入に要していた時間や手間、運用コストを削減できる。
【００３０】
さらに稼動時間内であっても、任意のユニット装置を対象にした任意の時間に、不定時のモジュール動作用電源のオフ／オン切換を、遠隔操作を介して手軽に実施できる。
したがって個別のユニット装置の稼動状況に応じ、こまめに電源オフとオンを行い該ユニット装置の待機電力を最小にすることで、省エネルギーに貢献できる。
【００３１】
更に、請求項３から請求項５に記載の発明を実施したユニット装置の電源システムでは、制御用電源とモジュール動作用電源との２系統から成り、モジュール動作用電源が供給する電力のオン状態とオフ状態とを切換えるオン／オフ切換部と、オン／オフ切換部への切換命令を遠隔操作によって入力できる切換命令入力部をユニット装置の内部に備える様にした。
【００３２】
このような電源システムによれば以下の効果を得る。すなわち上述した請求項１と２による効果に加え、請求項３から５の電源制御システムを実施した場合、切換命令入力部については、当該ユニット装置が予め備えている任意の余剰インタフェースモジュールの１つを転用して充当することができる。このため在来ユニット装置の余剰モジュールと既設のネットワーク環境とを有効活用できる。
【発明を実施するための最良の形態】
【００３３】
以下に本発明を詳細に説明する。本発明に係る電源モジュールを適用したユニット装置の一実施例として図１のＰＬＣユニットを示す。
図１に示す実施例では、制御用電源１０１、モジュール動作用電源１０２およびオン／オフ切換部１０３の各構成部を、それぞれ別モジュールに実装することで電源システムを構築してある。
【００３４】
図１では、本発明の請求項１と２を適用されたユニット装置として、電源モジュール１以外の他モジュール４に図４と同様のＣＰＵモジュール、入出力モジュール、各種センサモジュール等を実装して構成したＰＬＣユニット装置としている。制御用電源１０１は、電源コード５を介しＡＣ電源であるコンセント６のＡＣ電源へと接続されている。また、制御用電源１０１は、図４の電源モジュールと同様にＡＣ電源から第一の電源供給Ａを受けている。
【００３５】
制御用電源１０１が出力する第二の電源供給Ｂは、オン／オフ切換部１０３を経由して
モジュール制御用電源１０２へ入力される。
モジュール制御用電源１０２は、制御用電源１０１からの第二の電源供給Ｂを受けている。
【００３６】
モジュール動作用電源１０２は、ＰＬＣユニット主要部すなわち他モジュール４を構成するＣＰＵモジュール、入出力モジュール、各種センサモジュールの各々へ電源を供給している。このモジュール動作用電源１０２による他モジュール４に対する電源供給経路は第三の電源供給でありＣで示している。
【００３７】
一方、オン／オフ切換部１０３と切換命令入力部１０４についても、制御用電源１０１からの第二の電源供給Ｂを受けている。ただし第二の電源供給Ｂと異なり、制御用電源１０１が運転中の間はオフにされることは無い。
また、オン／オフ切換部１０３は、モジュール動作用電源１０２に対する第二の電源Ｂの供給経路上であれば、ユニット装置筐体の内外を問わず何処にも設置して良い。
切換命令入力部１０４もオン／オフ切換部１０３と同様に、ユニット装置筐体の内外を問わず何処にも設置して良い。また、切換命令入力部１０４は、有線インタフェースまたは無線インタフェース１０６を介して切換命令１０５が入力される。
【００３８】
次いで、図１に示す電源システムの実施例の作用を説明する。
外部電源であるコンセント６からＡＣ電源である、第一の電源供給Ａを受けた制御用電源１０１は、オン／オフ切換部１０３を介してモジュール動作用電源１０２を対象にした第二の電源供給Ｂを行う。
【００３９】
ここでモジュール動作用電源１０２は、制御用電源１０１から提供されてモジュール動作用電源１０２へと入力される第二の電源供給Ｂに対してオン状態とオフ状態とを切換える作用を持つ。
【００４０】
オフ状態とは、第二の電源供給Ｂがオン／オフ切換部１０３と切換命令入力部１０４までで止まり、オン／オフ切換部１０３から先のモジュール動作用電源１０２へ供給されない状態である。
【００４１】
切換命令１０５は、有線インタフェースまたは無線インタフェース１０６を介して遠隔制御により入力される。切換命令入力部１０４では、切換命令１０５を受信するとオン／オフ切換部１０３に作用して前述した第二の電源供給Ｂについてオン状態又はオフ状態の切換操作を実行する。
【００４２】
例えば、該ユニット装置の主要構成部である他モジュール４について電源オフの必要が生じた場合、有線インタフェースまたは無線インタフェース１０６を介した遠隔操作による切換命令１０５を入力する。
【００４３】
切換命令１０５を入力された切換命令入力部１０４は、オン／オフ切換部１０３を操作して他モジュール４に対する第二の電源供給Ｂの経路を切断し、該ユニット装置の主要な電力消費を一律にオフにする。
【００４４】
したがって、該ユニット装置は電源システム各構成部、具体的には制御用電源１０１、オン／オフ切換部１０３、および切換命令入力部１０４以外の待機電力が遠隔操作により手軽に削減できる。
【００４５】
同様にして、他モジュール４について電源再投入の必要が生じた場合は、有線インタフェースまたは無線インタフェース１０６を介した遠隔操作による切換命令１０５を送信する。これにより切換命令１０５が入力された切換命令入力部１０４は、オン／オフ切換部１０３を操作して他モジュール４に対する第二の電源供給Ｂの経路を接続し、該ユニット装置の主要な電力消費を一律にオン状態に回復させる。
【００４６】
ここで、オン状態とは、第二の電源供給がオン／オフ切換部１０３と切換命令入力部１０４に加え、オン／オフ切換部１０３から先のモジュール動作用電源１０２へも供給された結果、モジュール動作用電源１０２が第三の電源供給Ｃを生成している状態である。
【００４７】
これによりユニット装置は他モジュールへの供給電力が回復し、通常の稼動状態に回復する。したがって、従来は人手に拠っていたユニット装置の主要モジュール群の電源オフ／オン操作について、本発明を適用することで作業者が現場に直に足を運ぶ必要が無くなる。さらに作業は手軽で、迅速かつ安全な実施ができる。
【００４８】
なお、図１に示す実施例は、切換命令入力部１０４に対する有線インタフェースまたは無線インタフェース１０６経由の遠隔入力について説明したが、該ユニット装置まで直接赴き、手入力により切換命令１０５を切換命令入力部１０４へ直接入力することでオン／オフ切換えを行っても勿論構わない。
【００４９】
次に、図２に第二の実施例として、本発明に係る電源モジュールが適用されたユニット装置であるＰＬＣユニットを示す。
図２に示す実施例は、制御用電源１０１、モジュール動作用電源１０２、オン／オフ切換部１０３、および切換命令入力部１０４の各構成部を、全て単一の電源モジュール１の中へ一体化させた電源モジュールの構成である。
【００５０】
図２において使用している符号で、図１と図４でも使用している同一符号は、同一機能を備えた構成要素である。外部電源であるコンセント６からＡＣ電源である、第一の電源供給Ａを受けた制御用電源１０１は、電源モジュール１の一部に設けられている。
【００５１】
制御用電源１０１では、同一の電源モジュール１内にあるモジュール動作用電源１０２およびオン／オフ切換部１０３を対象にした第二の電源供給Ｂを行う。このときの第二の電源供給Ｂは、全て同一の電源モジュール１内のみにて行われる。
【００５２】
他モジュール４を構成するＣＰＵモジュール、入出力モジュール、各種センサモジュールは、全て電源モジュール１内のモジュール動作用電源１０２が供給する第三の電源供給Ｃを受けて動作する。図２に示したこの第三の電源供給Ｃは、図１の実施例と同様にして他モジュール４全体を対象としている。
【００５３】
切換命令入力部１０４は、前述した様に図２の実施例では電源モジュール１内に設けている。また、切換命令入力部１０４に接続する有線インタフェースまたは無線インタフェース１０６の先には、管理用ネットワーク１０７が接続されている。
【００５４】
次いで、図２に示す電源システムの実施例の作用を説明する。
第一の電源供給を受けた制御用電源１０１は、同一の電源モジュール１内のモジュール動作用電源１０２、オン／オフ切換部１０３、切換命令入力部１０４の各部を対象に第二の電源供給Ｂを行う。
【００５５】
一方、モジュール動作用電源１０２は、制御用電源１０１から受けた第二の電源供給Ｂに基づき他モジュール４の各モジュールに対して第三の電源供給Ｃを行う。
【００５６】
オン／オフ切換部１０３は、モジュール動作用電源が提供している第三の電源供給Ｃを対象にオン状態とオフ状態とを切換える作用を持つ。
切換命令１０５は、管理用ネットワーク１０７によって遠隔入力される。
切換命令入力部１０４では、遠隔制御により切換命令１０５を受信すると、オン／オフ切換部１０３に作用して第三の電源供給Ｃについてオン又はオフ状態の切換操作を実行する。
【００５７】
従って、切換命令１０５が入力された切換命令入力部１０４では、他モジュールに対する第三の電源供給Ｃを遠隔操作で中断または再開できる。このためユニット装置の主要な電力消費を一律に遠隔操作でオフまたはオンにすることができる。
【００５８】
この様に、従来は人手に拠っていたユニット装置の主要モジュール群の電源オフ／オン操作について、具体的には第三の電源供給Ｃオン／オフ操作について、本発明を適用することで作業者が現場に直に足を運ぶ必要が無くなる。また作業が手軽で、迅速かつ安全確実に実施できる。
【００５９】
なお、管理用ネットワーク１０７は、図２の実施例では、サーバ装置ア、ハブ装置イ、端末装置ウなどを接続している。管理用ネットワーク１０７には、有線インタフェースまたは無線インタフェース１０６に適合することを条件に、例えば既存のイーサネット（登録商標）や無線ＬＡＮなど既存の任意ネットワーク環境も利用できる。
【００６０】
次に、図３に第三の実施例として本発明に係る電源モジュールを適用したユニット装置であるＰＬＣユニットを示す。
図３において使用している符号で、図２でも使用している同一符号と用語は、同一機能を備えた構成要素であり説明は省略する。
【００６１】
この例でも、電源モジュール１は、制御用電源とモジュール動作用電源の２系統で一体化され、併せてモジュール動作用電源系統のオン状態とオフ状態とを切換えるオン／オフ切換部も内蔵している。すなわち、図２の実施例の電源モジュール１から切換命令入力部１０４のみを、前述の有線インタフェースまたは無線インタフェース１０６を備えた他モジュールの１つに実装したものである。
【００６２】
制御用電源１０１、モジュール動作用電源１０２およびオン／オフ切換部１０３は、図２の実施例と同様に単一の電源モジュール１内に一体化させてある。また図２と同様に、切換命令１０５は、有線インタフェースまたは無線インタフェース１０６を介して管理用ネットワーク１０７を用いた遠隔操作で入力する。
【００６３】
切換命令入力部１０４を実装する他モジュールとして図３の例では、有線インタフェースまたは無線インタフェース１０６を備えたインタフェース（Ｉ／Ｆ）モジュール２０１を転用している。これは前述した様に、切換命令１０５を管理用ネットワーク１０７経由で伝送するためである。このため、切換命令入力部１０４は、図２の実施例とは異なりＩ／Ｆモジュール２０１に設けてある。
【００６４】
また、電源モジュール１内に備えられた制御用電源１０１と、Ｉ／Ｆモジュール２０１間を給電経路２０３で接続している。さらに、Ｉ／Ｆモジュール２０１と電源モジュール１内に備えられたオン／オフ切換部１０３間は、信号経路２０２で接続している。
【００６５】
ここで、図３に示す給電経路２０３と信号経路２０２とは、ユニット装置筐体の内部に設けても、筐体外部に設けても良い。
たとえば、信号経路２０２は、両端または片端が取り外し可能なコネクタまたは端子等を備えた信号用ケーブルとして実装することができる。接続に際し、管理用ネットワーク用インタフェースと接続する切換命令入力部１０４以外にＩ／Ｆモジュール２０１の正面パネル等に備えられている余剰インタフェースコネクタＤを流用すれば、電源モジュール１のオン／オフ切換部１０３の信号入力コネクタＥと外部で電気的に接続できる。この様に信号経路２０３は、例えばＤとＥ間に取り外し可能な信号ケーブル等を敷設すれば、ユニット装置外部にも構成できる。
【００６６】
同様にして給電経路２０３は、電源モジュール１の制御用電源１０１による第二の電源供給出力を備え付けの、例えば電源出力端子Ｆから取り出し、接続ケーブル等でＩ／Ｆモジュール２０１の電源入力端子Ｇなどへ接続して構成できる。
【００６７】
次いで、図３に示す電源システムの実施例の作用を説明する。
図２の実施例と同一機能を持ち、同一作用を持つ要素は説明を省略する。
切換命令入力部１０４では、切換命令１０５を遠隔で受信すると、信号経路２０３を介して直ちにこれをモジュール１内のオン／オフ切換部１０３に中継し、オン／オフ切換部１０３の作用によりモジュール動作用電源１０２の第三の電源供給Ｃについてオン又はオフ状態の切換操作を実行する。
【００６８】
したがって、切換命令１０５が入力された切換命令入力部１０４では、他モジュール４への第三の電源供給Ｃについて、遠隔操作で中断または再開できる。このためユニット装置の主要な電力消費を一律に遠隔操作でオフまたはオンにすることができる。
【００６９】
ただし図３の例では、Ｉ／Ｆモジュール２０１の動作用電力は給電経路２０３を介して供給されている。給電経路２０３への電力供給は制御用電源１０１が担当しているため、電源モジュール１がＡＣ電源を介して第一の電源供給Ａを受けている限り常時提供される。
【００７０】
この為、モジュール動作用電源１０２による第三の電源供給Ｃについてオン／オフ操作が行われても、Ｉ／Ｆモジュール２０１は何ら影響を受けることなく運転継続できる。
これにより、遠隔制御によって他モジュールに対する第三の電源供給が中断された場合においても、切換命令入力部１０４として作用させる当該Ｉ／Ｆモジュール２０１だけは制御用電源１０１からの給電を受ける経路が確保されている。
【００７１】
すなわち給電経路２０３は、取り外し可能な電源ケーブルを用いればユニット装置本体内部に手を加えること無く比較的容易に追加できる。
但しユニット装置のベースモジュール（バックプレーン部）等に独立した別系統の電源ラインが予め用意されてあり、これをユニット装置筐体内部の給電経路２０３として流用できればこの限りでない。
【００７２】
同様に、信号経路２０２は、取り外し可能な接続コード等を用いればユニット装置本体内部に手を加えること無く比較的容易に追加できる。
ただしユニット装置のベースモジュール（バックプレーン部）等で余剰の信号ラインを割当てて、電源モジュール１内のオン／オフ切換部１０３と導通させ、これを信号経路２０２として転用出来ればこの限りでない。
【００７３】
なお、図３に示す実施例は、切換命令入力部１０４に対する遠隔入力を、管理用ネットワーク１０７を介した場合について説明した。勿論該ユニット装置まで直接赴き、遠隔による切換命令１０５の代わりに切換命令入力部１０４、またはオン／オフ切換部１０３へ直接手入力することでオン／オフ切換えを行っても構わない。
【００７４】
この様に、電源モジュール１外部に別に設ける、切換命令入力部１０４としてのＩ／Ｆモジュール２０１に対する給電経路と信号経路が確保されれば、ユニット装置本体の共通バックプレーン部等に対する電源系の分離など面倒な大規模改造は不要である。
【００７５】
従って、該ＰＬＣユニットが予め備えていたイーサネット（登録商標）などの余剰Ｉ／Ｆモジュールと、該Ｉ／Ｆモジュールが対応していて構内に既設のネットワークを本発明の遠隔制御に供する管理用ネットワークとして転用することで、在来のユニット装置であっても電源モジュール１の変更を前提に、最小限の改造コストで図３の実施例を構成できる。
【００７６】
なお、図２と図３の実施例で示した管理用ネットワーク１０７には、イーサネット（登録商標）ネットワークまたは、無線ＬＡＮ（Ｌｏｃａｌ Ａｒｉａ  Ｎｅｔｗｏｒｋ）ネットワーク（それぞれ図示しない）を用いても良い。その場合は、Ｉ／Ｆモジュール２０１は、有線インタフェースまたは無線インタフェース１０６としてイーサネット（登録商標）または無線ＬＡＮのインタフェースを備えている必要がある。
【００７７】
以上説明した様に、図１から図３までの実施例に示す本発明によれば、モジュール内蔵型のユニット装置の電源モジュールについて、制御用電源部とモジュール動作用電源部の２系統構成とし、遠隔操作によるモジュール動作用電源部の給電オン状態とオフ状態との切換制御が可能となる。
【００７８】
このため、従来は人手に頼っていたユニット装置の主要モジュール群の電源オフ／オン操作について、作業者が現場に直に足を運ぶ必要が無くなり、作業は迅速かつ安全、確実に実施ができる効果がある。
【００７９】
即ち、電源制御の操作がユニット装置毎の稼動状況に応じて、手軽に遠隔操作で行える様になるため、たとえ管理者が遠隔地にあっても、平常時は待機電力の節約に貢献すると共に、緊急時には迅速な電源オフ等の遠隔管理が可能となる。
さらに、本発明は図３で例示した様に、既存の在来ユニット装置とその周辺環境に対して適合性が高く、最小限の追加経費で本発明を導入実施ができるため、上述した効果について容易に享受できる。
【図面の簡単な説明】
【００８０】
【図１】請求項１と２の電源モジュールを用いたユニット装置としてＰＬＣユニットの一例を示す構成ブロック図である。
【図２】請求項３と４および請求項６の電源モジュールを用いたユニット装置としてＰＬＣユニットの一例を示す構成ブロック図である。
【図３】請求項３から請求項６までの電源モジュールを用いたユニット装置としてＰＬＣユニットの一例を示す構成ブロック図である。
【図４】従来の電源モジュールを用いたユニット装置としてＰＬＣユニットの一例を示す構成ブロック図である。
【符号の説明】
【００８１】
１  電源モジュール１
４  他モジュール
５  電源コード
６  コンセント
１０１  制御用電源
１０２  モジュール動作用電源
１０３  オン／オフ切換部
１０４  切換命令入力部
１０５  切換命令
１０６  有線インタフェースまたは無線インタフェース
１０７  管理用ネットワーク
２０１  Ｉ／Ｆモジュール
２０２  給電経路
２０３  信号経路
Ａ  第一の電源供給
Ｂ  第二の電源供給
Ｃ  第三の電源供給
Ｄ  余剰インタフェースコネクタ
Ｅ  信号入力コネクタ
Ｆ  電源出力端子
Ｇ  電源入力端子
ア  サーバ装置
イ  ハブ装置
ウ  端末装置
【図１】
2005250520.tif 000003
【図２】
2005250520.tif 000004
【図３】
2005250520.tif 000005
【図４】
2005250520.tif 000006